(57)【要約】  プロペラファンは、軸心を中心に回転する回転軸部と、回転軸部の外周部に配設される複数枚の翼と、を有し、翼は、後縁を開放させた凹部を少なくとも１つ有し、凹部は、後縁から前縁に向かって伸びる内周側の第一辺が外周側へ湾曲しているものである。
2018216164.tif 000002
【特許請求の範囲】
【請求項１】
軸心を中心に回転する回転軸部と、
前記回転軸部の外周部に配設される複数枚の翼と、を有し、
前記翼は、
後縁を開放させた凹部を少なくとも１つ有し、
前記凹部は、
後縁から前縁に向かって伸びる内周側の第一辺が外周側へ湾曲している
プロペラファン。
【請求項２】
軸方向の上流側から上面視した状態において、
前記第一辺は、
前記回転軸部の同心円の一部の円弧を構成する
請求項１に記載のプロペラファン。
【請求項３】
前記凹部は、
前記第一辺と、
後縁から前縁かつ内周側に向かって伸びる外周側の第二辺と、
前記第一辺と前記第二辺とが前縁側で接続する接続点と、を有する上面視略三角形状に構成されている
請求項１又は２に記載のプロペラファン。
【請求項４】
前記凹部は、
前記第一辺と、
後縁から前縁かつ内周側に向かって伸びる外周側の第二辺と、
前記第一辺の前縁側頂点と前記第二辺の前縁側頂点とを結ぶ第三辺と、を有する上面視略四角形状に構成されている
請求項１又は２に記載のプロペラファン。
【請求項５】
前記翼は、
前記第一辺に、外周側へ突出させた第１凸部を少なくとも一つ有する
請求項１〜４のいずれか一項に記載のプロペラファン。
【請求項６】
前記翼は、
前記凹部により区切られた後縁の内周側に、下流側へ突出させた第２凸部を有する
請求項１〜５のいずれか一項に記載のプロペラファン。
【請求項７】
前記第２凸部は、
外周端側の頂点が、前記凹部の前記第一辺の後縁側頂点となっている
請求項６に記載のプロペラファン。
【請求項８】
前記第２凸部の外周端側の頂点と内周端側の頂点とを前記第２凸部の外周で結んだ線を第四辺とし
前記第２凸部の外周端側の頂点と内周端側の頂点とを直線的に結んだ線を第１仮想線とし、
前記第１仮想線の中点から垂直に伸びて前記第四辺と接続する線を第２仮想線とし、
前記第２凸部は、
最大突出点が、
前記第四辺と前記第２仮想線との交点よりも内周側に位置している
請求項６又は７に記載のプロペラファン。
【請求項９】
圧縮機、第１熱交換器、絞り装置、第２熱交換器を配管接続した冷媒回路を有し、
請求項１〜８のいずれか一項に記載のプロペラファンは、
前記第１熱交換器に空気を供給するものとして、前記第１熱交換器とともに冷却ユニットに搭載される
冷凍サイクル装置。
【発明の詳細な説明】
【技術分野】
【０００１】
本発明は、例えば空気調和装置、換気装置等の冷凍サイクル装置に用いられるプロペラファン及びこのプロペラファンを備えた冷凍サイクル装置に関するものである。
【背景技術】
【０００２】
従来から、プロペラファン（軸流送風機）には低騒音化が求められている。そこで、翼の形状によって、低騒音化を図るようにしたプロペラファンが種々提案されている。【０００３】
例えば、特許文献１には、「ファン回転軸に取り付けられるハブに２枚の翼が設けられたプロペラファンにおいて、前記翼はファン回転中の空気流れの流出部にあたる翼後縁部に空気流れと逆方向に凹んだ略円弧状、またはＶ字状、あるいは多角形状の後縁凹部が設けられ、かつ一方の翼はファン回転軸を中心に１８０°±５°の範囲で他方の翼とほぼ点対称に配置され、翼外径寸法Ｄ１、ハブ外径寸法Ｄ２、Ｒｍ＝（Ｄ１−Ｄ２）／２としたとき、０．７５Ｒｍ〜１．２５Ｒｍの範囲にて、翼弦線の長さＬ、翼間ピッチＴからなるソリディティσ＝Ｌ／Ｔが、０．３〜０．５５となるように翼が配置される」プロペラファンが開示されている。
【先行技術文献】
【特許文献】
【０００４】
【特許文献１】特許第４４６７９５２号公報
【発明の概要】
【発明が解決しようとする課題】
【０００５】
上記の特許文献１に示す技術は、ソリディティσを０．３〜０．５５にすることにより、低騒音化を図るようにしたものである。しかしながら、特許文献１に示す技術においては、凹部の内周側が直線形状となっているため、正圧面から負圧面へ漏れる流れが増大してしまう。そのため、十分な低騒音化を図れていないという問題点があった。【０００６】
本発明は、かかる問題を解決するためになされたものであり、正圧面から負圧面へ漏れる流れを抑制した翼形状を採用し、低騒音化を図るようにしたプロペラファン及びこのプロペラファンを備えた冷凍サイクル装置を提供することを目的とする。
【課題を解決するための手段】
【０００７】
本発明に係るプロペラファンは、軸心を中心に回転する回転軸部と、前記回転軸部の外周部に配設される複数枚の翼と、を有し、前記翼は、後縁を開放させた凹部を少なくとも１つ有し、前記凹部は、後縁から前縁に向かって伸びる内周側の第一辺が外周側へ湾曲しているものである。【０００８】
本発明に係る冷凍サイクル装置は、圧縮機、第１熱交換器、絞り装置、第２熱交換器を配管接続した冷媒回路を有し、上記のプロペラファンは、前記第１熱交換器に空気を供給するものとして、前記第１熱交換器とともに冷却ユニットに搭載されるものである。
【発明の効果】
【０００９】
本発明に係るプロペラファンによれば、後縁から前縁に向かって伸びる内周側の第一辺を外周側へ湾曲させた凹部を後縁に有した翼を備えているので、凹部の内周側の空気流れが第１辺の曲線形状に沿い、漏れ渦を抑制でき、低入力化及び低騒音化が実現できる。【００１０】
本発明に係る冷凍サイクル装置によれば、上記のプロペラファンを第１熱交換器とともに冷却ユニットに備えているので、騒音が低減したものになる。
【図面の簡単な説明】
【００１１】
【図１】本発明の実施の形態１に係るプロペラファンを上流側から見た概略図である。
【図２】本発明の実施の形態１に係るプロペラファンの凹部を説明するための概略図である。
【図３】従来のプロペラファンを上流側から見た概略図である。
【図４】図１におけるプロペラファンのＩ−Ｉ断面図である。
【図５】図２におけるプロペラファンのＩＩ−ＩＩ断面図である。
【図６】本発明の実施の形態１に係るプロペラファンが搭載された冷却ユニットの構成の一例を概略的に示す概略構成図である。
【図７】本発明の実施の形態２に係るプロペラファンを上流側から見た概略図である。
【図８】本発明の実施の形態３に係るプロペラファンを上流側から見た概略図である。
【図９】本発明の実施の形態３に係るプロペラファンを上流側から見た概略図である。
【図１０】本発明の実施の形態４に係るプロペラファンを上流側から見た概略図である。
【図１１】本発明の実施の形態５に係るプロペラファンを上流側から見た概略図である。
【図１２】本発明の実施の形態６に係る冷凍サイクル装置の冷媒回路構成を概略的に示す回路構成図である。
【図１３】本発明の実施の形態６に係る冷凍サイクル装置の一部を構成する冷却ユニットの構成の一例を概略的に示す概略斜視図である。
【図１４】図１３における冷却ユニットのＩＶ−ＩＶ断面図である。
【図１５】本発明の実施の形態６に係る冷凍サイクル装置の一部を構成する冷却ユニットの構成の別の一例を概略的に示す概略構成図である。
【発明を実施するための形態】
【００１２】
以下、図面に基づいて本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１３】
実施の形態１．
図１は、本発明の実施の形態１に係るプロペラファン１００Ａを上流側から見た概略図である。図２は、プロペラファン１００Ａの凹部８Ａを説明するための概略図である。図３は、従来のプロペラファン（以下、プロペラファン１００Ｘと称する）を上流側から見た概略図である。図１及び図２に基づいて、プロペラファン１００Ａについて説明する。プロペラファン１００Ａを説明するにあたり、適宜、図３のプロペラファン１００Ｘと比較するものとする。なお、図２では、プロペラファン１００Ａの構成に相当するプロペラファン１００Ｘの各構成には、末尾に「Ｘ」を付記し、プロペラファン１００Ａの構成と区別するものとする。
【００１４】
なお、図１では、プロペラファン１００Ａの翼２Ａを１つだけ図示している。つまり、プロペラファン１００Ａは翼２Ａが複数存在するものの、便宜的に、１つの翼２Ａのみを図示している。また、図２では、プロペラファン１００Ａの翼２Ａを４つ図示している。ただし、翼２Ａの枚数を特に限定するものではない。さらに、翼２Ａの枚数によらず凹部は翼毎に設定され、本発明の実施の形態１に係るプロペラファン１００Ａを実施することによる効果は翼毎に得られる。
【００１５】
プロペラファン１００Ａは、軸心ＲＣを中心に回転するボス１と、ボス１の外周部に配設される複数枚の翼２Ａとを有している。翼２Ａは、内周端２１、外周端２２、前縁４、後縁３で囲繞されている。また、翼２Ａの後縁３には、後縁３の一部を開放させた凹部８Ａが形成されている。
ボス１が、本発明の「回転軸部」に相当する。
【００１６】
凹部８Ａについて詳しく説明する。
凹部８Ａを構成する内周側の一辺である、後縁３から前縁４に向かって伸びる一辺を、第一辺５Ａと定義する。また、凹部８Ａを構成する外周側の一辺である、後縁３から前縁４かつ内周側（内周端２１側）に向かって伸びる一辺を、第二辺６Ａと定義する。第一辺５Ａは前縁４かつ外周側に向かって伸び、第二辺６Ａは前縁４かつ内周側に向かって伸びているので、両辺は後縁３から前縁４に進んだ部分で接続する。この接続部分を接続点７Ａと定義する。そして、第一辺５Ａは、図１及び図２に示すように、外周側へ膨らんで湾曲した曲線形状に構成されている。
【００１７】
すなわち、プロペラファン１００Ａを軸方向の上流側から上面視した場合、凹部８Ａは、第一辺５Ａと第二辺６Ａとを境とした空間部として形成される。また、凹部８Ａは、上面視略三角形状として構成されるが、第一辺５Ａが、外周側へ湾曲、つまり外周側に凸の曲線となった形状に構成されている。
【００１８】
更に具体的に凹部８Ａを説明する。
プロペラファン１００は、例えば図２に示すように、４つの翼２Ａを有している。翼２Ａの全部に、後縁３の一部が開放された凹部８Ａが形成されている。プロペラファン１００Ａを上流側から上面視した場合、凹部８Ａの第一辺５Ａは、例えば、ボス１の同心円５０の円周と重なるように形成することができる。つまり、プロペラファン１００Ａを上流側から上面視した場合、第一辺５Ａは、ボス１の同心円５０の一部の円弧を構成する。このように、第一辺５Ａの形状を決定することができるため、第一辺５Ａの形状の決定を簡素化することができる。
【００１９】
図３に示すように、プロペラファン１００Ｘは、軸心ＲＣを中心に回転するボス１Ｘと、ボス１Ｘの外周部に配設される複数枚の翼２Ｘとを有している。翼２Ｘは、内周端２１Ｘ、外周端２２Ｘ、前縁４Ｘ、後縁３Ｘで囲繞されている。また、翼２Ｘの後縁３Ｘには、凹部８Ｘが形成されている。
【００２０】
凹部８Ｘについて詳しく説明する。
凹部８Ｘを構成する内周側の一辺である、後縁３Ｘから前縁４Ｘかつ外周側（外周端２２Ｘ側）に向かって伸びる一辺を、第一辺５Ｘと定義する。また、凹部８Ｘを構成する外周側の一辺である、後縁３Ｘから前縁４Ｘかつ内周側（内周端２１Ｘ側）に向かって伸びる一辺を、第二辺６Ｘと定義する。第一辺５Ｘは前縁４Ｘかつ外周側に向かって伸び、第二辺６Ｘは前縁４Ｘかつ内周側に向かって伸びているので、後縁３Ｘから前縁４Ｘに進んだ部分で接続する。この接続部分を接続点７Ｘと定義する。
【００２１】
すなわち、プロペラファン１００Ｘを軸方向の上流側から上面視した場合、凹部８Ｘは、第一辺５Ｘと第二辺６Ｘとを境とした空間部として形成される。また、凹部８Ｘは、上面視略三角形状として構成され、第一辺５Ｘ及び第二辺６Ｘが、直線形状に構成されている。あるいは、凹部８Ｘは、上面視略三角形状として構成され、第一辺５Ｘが、空気流れと逆方向に凹んだ円弧形状に構成されている。
【００２２】
プロペラファン１００Ａの動作を簡単に説明する。
ボス１に取り付けられているモータ（図示省略）が回転駆動することにより、図１及び図２に示す３次元立体形状の翼２Ａが、ボス１ともに軸心ＲＣを中心に矢印Ａの方向に回転する。翼２Ａが回転することによって紙面正面側から紙面裏側側に向けての気流（送風流）が発生する。なお、翼２Ａの上流側が負圧面となり、下流側が正圧面となる。
【００２３】
プロペラファン１００Ａの効果について、プロペラファン１００Ｘと比較しながら説明する。
プロペラファン１００Ｘは、凹部８Ｘを設けることによって、凹部８Ｘの近傍を通る空気流れ（図３に示す矢印１０Ｘ）を接続点７Ｘから内周側と外周側とにそれぞれそらすことができる。内周側の空気流れを矢印１０−１Ｘで表し、外周側の空気流れを矢印１０−２Ｘで表している。
【００２４】
そして、外周側の流れ（矢印１０−２Ｘ）は、プロペラファン１００Ｘの遠心力との相乗効果により、一回転時の仕事量が大きい外周側へ流れを移行でき、低入力化する。しかしながら、内周側の流れ（矢印１０−１Ｘ）は、凹部８Ｘの内周側の直線形状に沿い切らずに剥離してしまう。そのため、剥離した流れが正圧面側から負圧面側へ向かい、漏れ渦１１Ｘを大きくしてしまう。漏れ渦１１Ｘが大きくなると損失も大きくなるため、入力が悪化し、かつ漏れ渦１１Ｘが下流側に設置された物体に干渉することにより大きく騒音を発生させる。
【００２５】
プロペラファン１００Ａは、凹部８Ａを設けることによって、凹部８Ａの近傍を通る流れ（図１に示す矢印１０）を接続点７から内周側と外周側とにそれぞれそらすことができる。内周側の空気流れを矢印１０−１で表し、外周側の空気流れを矢印１０−２で表している。
【００２６】
そして、外周側の流れ（矢印１０−２）は、プロペラファン１００Ａの遠心力との相乗効果により、一回転時の仕事量が大きい外周側へ流れを移行でき、低入力化する。加えて、内周側の流れ（矢印１０−１）は、凹部８Ａの第一辺５Ａを外周側へ湾曲した曲線形状としているので、正圧面側の流れが外周側へ湾曲した曲線形状に沿うことになり剥離を抑制できる。そのため、内周側の流れ（矢印１０−１）において、漏れ渦１１を抑制することができる。したがって、プロペラファン１００Ａによれば、凹部８Ａによって漏れ渦１１を抑制することができ、低入力化、低騒音化が実現する。
【００２７】
図４は、図１におけるプロペラファン１００ＡのＩ−Ｉ断面図である。図５は、図２におけるプロペラファン１００ＡのＩＩ−ＩＩ断面図である。図６は、プロペラファン１００Ａが搭載された冷却ユニット２１０Ｂの構成の一例を概略的に示す概略構成図である。図４〜図６に基づいて、プロペラファン１００Ａの効果について更に説明する。なお、図６に示す冷却ユニット２１０Ｂについては、実施の形態６で詳細に説明するものとする。
【００２８】
図４では、軸心ＲＣを中心とする円筒断面における翼２Ａのキャンバーライン３３、及び、キャンバーライン３３の前縁４と後縁３とを結ぶ直線の中点である翼弦中心点３４を図示している。図５では、図４に示す翼弦中心点３４を内周端２１から外周端２２まで結んだ曲線である翼弦中心線３５を図示している。
【００２９】
漏れ渦１１は、正圧面と負圧面との圧力差の大きさに寄与し、圧力差が大きいほど漏れ渦１１は大きくなる。図４及び図５に示すように、翼弦中心線３５が半径方向の凹部８Ａを除いた領域で下流側に凸となるようなプロペラファン１００Ａは、回転時に正圧面側の圧力上昇が大きい傾向にある。そのため、正圧面と負圧面との圧力差が大きくなり、漏れ渦１１が大きくなる。そこで、プロペラファン１００Ａでは凹部８Ａを設け、漏れ渦１１を抑制することを可能にしているので、効果が大きい。
【００３０】
図６に示すように、冷却ユニット２１０Ｂは、例えば熱源側ユニット（室外ユニット）として利用される。冷却ユニット２１０Ｂは、外郭を構成する筐体２０４Ｂを有している。筐体２０４Ｂの内部には、セパレータ２５０が設けられ、プロペラファン１００Ａが設置される送風機室２５２と、圧縮機２１１などが設置される機械室２５１と、が区画形成されている。また、送風機室２５２には、プロペラファン１００Ａを駆動するモータ２０６、第１熱交換器２０５が設置されている。さらに、プロペラファン１００Ａの周囲にはベルマウス２５５が設置されている。
【００３１】
図６に示すように、プロペラファン１００Ａを側面から見たときに、ベルマウス２５５とプロペラファン１００Ａとの重なる領域が大きくなるように両者を配置した場合、両者が重なる領域では正圧面側の圧力上昇が大きくなる。そのため、漏れ渦１１が大きくなってしまう。そこで、ベルマウス２５５とプロペラファン１００Ａとの重なる領域が大きくなるように両者が配置されたとしても、プロペラファン１００Ａには凹部８Ａが設けられているので、漏れ渦１１を抑制することが可能になり、効果が大きい。
【００３２】
なお、凹部８Ａの個数、凹部８Ａを構成する第一辺５Ａの長さ、第二辺６Ａの長さ、接続点７Ａにおける第一辺５Ａと第二辺６Ａとがなす角度等を特に限定するものではなく、適宜設定できるものとする。
また、第一辺５Ａの形状について図２を基に示したが、第一辺５Ａの曲率等を図２の内容に限定するものではない。
また、第一辺５Ａが、後縁３から前縁４に向かって伸びる場合を例に示したが、第一辺５Ａの形状によっては第一辺５Ａが後縁３から前縁４かつ外周側（外周端２２側）に向かって伸びることも考えられる。
さらに、第二辺６Ａは、直線であってもよく、曲線であってもよい。
【００３３】
実施の形態１では、回転軸部の一例としてボス１を備えたプロペラファン１００Ａを示したが、プロペラファン１００Ａを、いわゆる翼一体型のプロペラファンとして構成してもよい。翼一体型のプロペラファンは、モータ等の駆動源の回転軸に接続される回転軸部（回転中心）と、該回転軸部の外周側に設けられた複数の羽根と、を備え、隣接する羽根が前縁部と後縁部とで接続されて構成されている。つまり、翼一体型のプロペラファンは、隣接する羽根をボス部を介さず連続面で接続する構成となる。この場合、回転中心となる回転軸部が、本発明の「回転軸部」に相当する。なお、翼一体型のプロペラファンとして構成することは、以下の実施の形態でも同様である。
【００３４】
実施の形態２．
図７は、本発明の実施の形態２に係るプロペラファン１００Ｂを上流側から見た概略図である。図７に基づいて、プロペラファン１００Ｂについて説明する。
なお、実施の形態２では実施の形態１との相違点を中心に説明し、実施の形態１と同一部分には、同一符号を付して説明を省略するものとする。
【００３５】
実施の形態２では、プロペラファン１００Ｂの翼２Ｂが、実施の形態１に係るプロペラファン１００Ａの翼２Ａと相違している。
なお、図７では、プロペラファン１００Ｂの翼２Ｂを１つだけ図示している。つまり、プロペラファン１００Ｂは翼２Ｂが複数存在するものの、便宜的に、１つの翼２Ｂのみを図示している。そして、翼２Ｂの枚数を特に限定するものではない。さらに、翼２Ｂの枚数によらず凹部は翼毎に設定され、本発明の実施の形態２に係るプロペラファン１００Ｂを実施することによる効果は翼毎に得られる。
【００３６】
プロペラファン１００Ｂは、軸心ＲＣを中心に回転するボス１と、ボス１の外周部に配設される複数枚の翼２Ｂとを有している。翼２Ｂは、内周端２１、外周端２２、前縁４、後縁３で囲繞されている。また、翼２Ｂの後縁３には、後縁３の一部を開放させた凹部８Ｂが形成されている。
【００３７】
凹部８Ｂについて詳しく説明する。
凹部８Ｂを構成する内周側の一辺である、後縁３から前縁４に向かって伸びる一辺を、第一辺５Ｂと定義する。また、凹部８Ｂを構成する外周側の一辺である、後縁３から前縁４かつ内周側（内周端２１側）に向かって伸びる一辺を、第二辺６Ｂと定義する。さらに、凹部８Ｂを構成する前縁側の一辺を第三辺１２と定義する。この第三辺１２は、第一辺５Ｂの前縁側頂点と第二辺６Ｂの前縁側頂点を結ぶ一辺である。そして、第一辺５Ｂは、図７に示すように、外周側へ湾曲した曲線形状に構成されている。
【００３８】
すなわち、プロペラファン１００Ｂを軸方向の上流側から上面視した場合、凹部８Ｂは、第一辺５Ｂと第二辺６Ｂと第三辺１２を境とした空間部として形成される。また、凹部８Ｂは、上面視略四角形状（例えば、平行四辺形状又は台形状）として構成されるが、第一辺５Ｂが、外周側へ湾曲、つまり外周側に凸の曲線となった形状に構成されている。
【００３９】
プロペラファン１００Ｂの効果について説明する。
例えば、プロペラファンの後縁に、内周側が直線である上面視略平行四辺形状の凹部を形成したとすると、内周側の負荷を減らし、一回転時の最も仕事量の大きい外周側の負荷を相対的に増加させるため、低入力化することになる。しかし、このような凹部では、図３で示した凹部８Ｘと同様に、内周側の空気の流れが、内周側の直線形状に沿い切らずに剥離してしまう。そのため、このような凹部では、上述した従来のプロペラファン１００Ｘと同様に、低入力化及び低騒音化が効率的に実現できない。
【００４０】
それに対し、プロペラファン１００Ｂは、凹部８Ｂを設けることによって、凹部８Ｂの内周側の空気流れ（矢印１０−１）は、凹部８Ｂの第一辺５Ｂを外周側へ湾曲した曲線形状としているので、正圧面側の流れが外周側へ湾曲した曲線形状に沿うことになり剥離を抑制できる。そのため、内周側の流れ（矢印１０−１）において、漏れ渦１１を抑制することができる。したがって、プロペラファン１００Ｂによれば、実施の形態１に係るプロペラファン１００Ａと同様に、凹部８Ｂによって漏れ渦１１を抑制することができ、低入力化、低騒音化が実現する。
【００４１】
なお、凹部８Ｂの個数、凹部８Ｂを構成する第一辺５Ｂの長さ、第二辺６Ｂの長さ、第三辺１２の長さ、第一辺５Ａと第三辺１２とがなす角度、第二辺６Ａと第三辺１２とがなす角度等を特に限定するものではなく、適宜設定できるものとする。
また、第一辺５Ｂの形状について、第一辺５Ａと同様に図２のように決定することができるものとするが、第一辺５Ｂの曲率等を特に限定するものではない。
また、第一辺５Ｂが、後縁３から前縁４に向かって伸びる場合を例に示したが、第一辺５Ｂの形状によっては第一辺５Ｂが後縁３から前縁４かつ外周側（外周端２２側）に向かって伸びることも考えられる。
さらに、第二辺６Ｂは、直線であってもよく、曲線であってもよい。
【００４２】
実施の形態３．
図８及び図９は、本発明の実施の形態３に係るプロペラファン１００Ｅを上流側から見た概略図である。図８及び図９に基づいて、プロペラファン１００Ｅについて説明する。
なお、実施の形態４では実施の形態１、２との相違点を中心に説明し、実施の形態１、２と同一部分には、同一符号を付して説明を省略するものとする。
【００４３】
実施の形態３では、プロペラファン１００Ｅの翼２Ｅが、実施の形態１に係るプロペラファン１００Ａの翼２Ａと相違している。
なお、図８では、プロペラファン１００Ｅの翼２Ｅを１つだけ図示している。つまり、プロペラファン１００Ｅは翼２Ｅが複数存在するものの、便宜的に、１つの翼２Ｅのみを図示している。そして、翼２Ｅの枚数を特に限定するものではない。さらに、翼２Ｅの枚数によらず凹部は翼毎に設定され、本発明の実施の形態３に係るプロペラファン１００Ｅを実施することによる効果は翼毎に得られる。
【００４４】
プロペラファン１００Ｅは、軸心ＲＣを中心に回転するボス１と、ボス１の外周部に配設される複数枚の翼２Ｅとを有している。翼２Ｅは、内周端２１、外周端２２、前縁４、後縁３で囲繞されている。また、翼２Ｅの後縁３には、後縁３の一部を開放させた凹部８Ｅが形成されている。さらに、凹部８Ｅを構成する内周側の一辺にと凸部（第１凸部）３０が形成されている。
【００４５】
凹部８Ｅ及び凸部３０について詳しく説明する。
凹部８Ｅを構成する内周側の一辺である、後縁３から前縁４に向かって伸びる一辺を、第一辺５Ｅと定義する。また、凹部８Ｅを構成する外周側の一辺である、後縁３から前縁４かつ内周側（内周端２１側）に向かって伸びる一辺を、第二辺６Ｅと定義する。第一辺５Ｅは前縁４かつ外周側に向かって伸び、第二辺６Ｅは前縁４かつ内周側に向かって伸びているので、両辺は後縁３から前縁４に進んだ部分で接続する。この接続部分を接続点７Ｅと定義する。そして、第一辺５Ｅは、図８に示すように、外周側へ湾曲した曲線形状に構成されている。
【００４６】
すなわち、プロペラファン１００Ｅを軸方向の上流側から上面視した場合、凹部８Ｅは、第一辺５Ｅと第二辺６Ｅとを境とした空間部として形成される。また、凹部８Ｅは、上面視略三角形状として構成されるが、第一辺５Ｅが、外周側へ湾曲、つまり外周側に凸の曲線となった形状に構成されている。なお、凹部８Ｅは、実施の形態１で説明した凹部８Ａと基本的に同じである。
【００４７】
凸部３０は、図８に示すように、凹部８Ｅの第一辺５Ｅの一部を外周端２２側に突出させて形成されている。また、凸部３０は、プロペラファン１００Ｅを軸方向の上流側から上面視した場合、長方形状に構成されている。なお、図８では、凸部３０が１つ設置されている状態を例に示している。
【００４８】
プロペラファン１００Ｅの効果について説明する。
プロペラファン１００Ｅでは、第一辺５Ｅが外周側へ湾曲した曲線形状の凹部８Ｅを有し、凹部８Ｅの第一辺５Ｅに凸部３０を形成したことにより、第一辺５Ｅに、第一辺５Ｅと第一辺５Ｅの円弧形状に沿って接続点７Ｅから生じる漏れ渦１１との間に幅を有する領域が形成できることになる。その領域により、漏れ渦１１の生成への寄与が小さくなる。
そのため、プロペラファン１００Ｅによれば、プロペラファン１００Ｅから下流へ流れる漏れ渦１１を抑制でき、低騒音化が実現する。
【００４９】
なお、凹部８Ｅの個数、凹部８Ｅを構成する第一辺５Ｅの長さ、第二辺６Ｅの長さ、接続点７Ｅにおける第一辺５Ｅと第二辺６Ｅとがなす角度、凸部３０の個数、大きさ、形状、第四辺１３−３の曲率等を特に限定するものではなく、適宜設定できるものとする。
例えば、図９に示すように、凸部３０を、前縁側凸部３０ａ、後縁側凸部３０ｂの複数で構成し、それぞれの外周を曲線としてもよい。なお、凸部３０を複数で構成する場合、それぞれを同じ形状、大きさとしてもよく、それぞれを異なる形状、大きさとしてもよい。
【００５０】
また、第一辺５Ｅの形状について、第一辺５Ａと同様に図２のように決定することができるものとするが、第一辺５Ｅの曲率等を特に限定するものではない。
また、凸部３０を実施の形態２で説明した凹部８Ｂと組み合わせてもよい。
また、第一辺５Ｅが、後縁３から前縁４に向かって伸びる場合を例に示したが、第一辺５Ｅの形状によっては第一辺５Ｅが後縁３から前縁４かつ外周側（外周端２２側）に向かって伸びることも考えられる。
さらに、第二辺６Ｅは、直線であってもよく、曲線であってもよい。
【００５１】
実施の形態４．
図１０は、本発明の実施の形態４に係るプロペラファン１００Ｃを上流側から見た概略図である。図１０に基づいて、プロペラファン１００Ｃについて説明する。
なお、実施の形態４では実施の形態１、２との相違点を中心に説明し、実施の形態１、２と同一部分には、同一符号を付して説明を省略するものとする。
【００５２】
実施の形態４では、プロペラファン１００Ｃの翼２Ｃが、実施の形態１に係るプロペラファン１００Ａの翼２Ａと相違している。
なお、図１０では、プロペラファン１００Ｃの翼２Ｃを１つだけ図示している。つまり、プロペラファン１００Ｃは翼２Ｃが複数存在するものの、便宜的に、１つの翼２Ｃのみを図示している。そして、翼２Ｃの枚数を特に限定するものではない。さらに、翼２Ｃの枚数によらず凹部は翼毎に設定され、本発明の実施の形態４に係るプロペラファン１００Ｃを実施することによる効果は翼毎に得られる。
【００５３】
プロペラファン１００Ｃは、軸心ＲＣを中心に回転するボス１と、ボス１の外周部に配設される複数枚の翼２Ｃとを有している。翼２Ｃは、内周端２１、外周端２２、前縁４、後縁３で囲繞されている。また、翼２Ｃの後縁３には、後縁３の一部を開放させた凹部８Ｃ、及び凸部（第２凸部）１３が形成されている。
【００５４】
凹部８Ｃ及び凸部１３について詳しく説明する。
凹部８Ｃを構成する内周側の一辺である、後縁３から前縁４に向かって伸びる一辺を、第一辺５Ｃと定義する。また、凹部８Ｃを構成する外周側の一辺である、後縁３から前縁４かつ内周側（内周端２１側）に向かって伸びる一辺を、第二辺６Ｃと定義する。第一辺５Ｃは前縁４かつ外周側に向かって伸び、第二辺６Ｃは前縁４かつ内周側に向かって伸びているので、両辺は後縁３から前縁４に進んだ部分で接続する。この接続部分を接続点７Ｃと定義する。そして、第一辺５Ｃは、図１０に示すように、外周側へ湾曲した曲線形状に構成されている。
【００５５】
すなわち、プロペラファン１００Ｃを軸方向の上流側から上面視した場合、凹部８Ｃは、第一辺５Ｃと第二辺６Ｃとを境とした空間部として形成される。また、凹部８Ｃは、上面視略三角形状として構成されるが、第一辺５Ｃが、外周側へ湾曲、つまり外周側に凸の曲線となった形状に構成されている。なお、凹部８Ｃは、実施の形態１で説明した凹部８Ａと基本的に同じである。
【００５６】
凸部１３の外周端２２側の頂点を頂点１３−１と定義し、凸部１３の内周端２１側の頂点を頂点１３−２と定義する。
凸部１３は、図１０に示すように、凹部８Ｃにより区切られた後縁３の内周側（内周端２１側）において、頂点１３−１が凹部８Ｃの第一辺５Ｃの後縁側頂点となっており、頂点１３−２が後縁３の頂点１３−１よりも内周側と接続し、頂点１３−１と頂点１３−２とを凸部１３の外周で接続する辺（第四辺１３−３）を下流側へ突出させて構成される。
【００５７】
プロペラファン１００Ｃの効果について説明する。
例えば、プロペラファンの後縁の一部に、下流側に突出する凸部を形成したとすると、凸部を形成した領域の仕事量が増加する。そのため、凸部を通過する空気の流れが周囲の流れより相対的に増速することになる。凸部を通過する空気の流れが増速すると、その周囲の流れが誘引されるという効果が得られる。
【００５８】
ところで、プロペラファンの後縁に、内周側が直線である上面視略三角形状又は平行四辺形状の凹部を形成し、この凹部の内周側の漏れ抑制を狙いとして、凹部により区切られた後縁の内周側に凸部を形成したとすると、内周側の空気の流れが、内周側の直線形状に沿い切らずに剥離してしまうため、凸部を設けても内周側の流れを誘引する効果があまり得られない。
【００５９】
それに対し、プロペラファン１００Ｃは、第一辺５Ｃが外周側へ湾曲した曲線形状の凹部８Ｃを有し、凹部８Ｃにより区切られた後縁３の内周側に凸部１３を形成しているので、凹部８Ｃの内周側の空気流れ外周側へ湾曲した曲線形状に沿うことになり、凸部１３による誘引効果が得られやすくなる。そのため、漏れ渦１１の発生をより抑制することができる。したがって、プロペラファン１００Ｃによれば、実施の形態１に係るプロペラファン１００Ａによる効果に加え、凸部１３によって漏れ渦１１をより抑制することができ、低入力化、低騒音化が更に実現する。
【００６０】
なお、凹部８Ｃの個数、凹部８Ｃを構成する第一辺５Ｃの長さ、第二辺６Ｃの長さ、接続点７Ｃにおける第一辺５Ｃと第二辺６Ｃとがなす角度、凸部１３の大きさ、凸部１３の形状、第四辺１３−３の曲率等を特に限定するものではなく、適宜設定できるものとする。
また、第一辺５Ｃの形状について、第一辺５Ａと同様に図２のように決定することができるものとするが、第一辺５Ｃの曲率等を特に限定するものではない。
また、凸部１３を、実施の形態２で説明した凹部８Ｂ、実施の形態３で請求項した凹部８Ｅの少なくともいずれかと組み合わせてもよい。
また、第一辺５Ｃが、後縁３から前縁４に向かって伸びる場合を例に示したが、第一辺５Ｃの形状によっては第一辺５Ｃが後縁３から前縁４かつ外周側（外周端２２側）に向かって伸びることも考えられる。
さらに、第二辺６Ｃは、直線であってもよく、曲線であってもよい。
【００６１】
実施の形態５．
図１１は、本発明の実施の形態５に係るプロペラファン１００Ｄを上流側から見た概略図である。図１１に基づいて、プロペラファン１００Ｄについて説明する。
なお、実施の形態５では実施の形態１〜３との相違点を中心に説明し、実施の形態１〜３と同一部分には、同一符号を付して説明を省略するものとする。
【００６２】
実施の形態５では、プロペラファン１００Ｄの翼２Ｄが、実施の形態１に係るプロペラファン１００Ａの翼２Ａと相違している。
なお、図１１では、プロペラファン１００Ｄの翼２Ｄを１つだけ図示している。つまり、プロペラファン１００Ｄは翼２Ｄが複数存在するものの、便宜的に、１つの翼２Ｄのみを図示している。そして、翼２Ｄの枚数を特に限定するものではない。さらに、翼２Ｄの枚数によらず凹部は翼毎に設定され、本発明の実施の形態５に係るプロペラファン１００Ｄを実施することによる効果は翼毎に得られる。
【００６３】
プロペラファン１００Ｄは、軸心ＲＣを中心に回転するボス１と、ボス１の外周部に配設される複数枚の翼２Ｄとを有している。翼２Ｄは、内周端２１、外周端２２、前縁４、後縁３で囲繞されている。また、翼２Ｄの後縁３には、後縁３の一部を開放させた凹部８Ｄ、及び凸部１３Ａが形成されている。
【００６４】
凹部８Ｄ及び凸部１３Ａについて詳しく説明する。
凹部８Ｄを構成する内周側の一辺である、後縁３から前縁４に向かって伸びる一辺を、第一辺５Ｄと定義する。また、凹部８Ｄを構成する外周側の一辺である、後縁３から前縁４かつ内周側（内周端２１側）に向かって伸びる一辺を、第二辺６Ｄと定義する。第一辺５Ｄは前縁４かつ外周側に向かって伸び、第二辺６Ｄは前縁４かつ内周側に向かって伸びているので、両辺は後縁３から前縁４に進んだ部分で接続する。この接続部分を接続点７Ｄと定義する。そして、第一辺５Ｄは、図１１に示すように、外周側へ湾曲した曲線形状に構成されている。
【００６５】
すなわち、プロペラファン１００Ｄを軸方向の上流側から上面視した場合、凹部８Ｄは、第一辺５Ｄと第二辺６Ｄとを境とした空間部として形成される。また、凹部８Ｄは、上面視略三角形状として構成されるが、第一辺５Ｄが、外周側へ湾曲、つまり外周側に凸の曲線となった形状に構成されている。なお、凹部８Ｄは、実施の形態１で説明した凹部８Ａと基本的に同じである。
【００６６】
凸部１３Ａの外周端２２側の頂点を頂点１３Ａ−１と定義し、凸部１３Ａの内周端２１側の頂点を頂点１３Ａ−２と定義する。
凸部１３Ａは、図１１に示すように、凹部８Ｄにより区切られた後縁３の内周側（内周端２１側）において、頂点１３Ａ−１が凹部８Ｄの第一辺５Ｄの後縁側頂点となっており、頂点１３Ａ−２が後縁３の頂点１３Ａ−１よりも内周側と接続し、頂点１３Ａ−１と頂点１３−２Ａとを凸部１３Ａの外周で接続する辺（第四辺１３Ａ−３）を下流側へ突出させて構成される。
【００６７】
また、頂点１３Ａ−１と頂点１３Ａ−２とを直線的に結んだ線を第１仮想線１５と定義する。第１仮想線１５の中点から垂直に伸びて第四辺１３Ａ−３と接続する線を第２仮想線１６と定義する。第四辺１３Ａ−３と第２仮想線１６との交点を交点１７と定義する。
そして、凸部１３Ａは、凸部１３Ａの第四辺１３Ａ−３における最大突出点１４が、交点１７よりも内周側に位置するように構成される。
【００６８】
プロペラファン１００Ｄの効果について説明する。
実施の形態４の凸部１３と同様に、凸部１３Ａには周囲の流れを誘引するという作用がある。加えて、凸部１３Ａを通過する空気の流れは、凸部１３Ａの下流側に最も突出した点、つまり最大突出点１４に集中する。そのため、最大突出点１４を交点１７よりも内周側に設けることにより、凹部８Ｄの内周側の流れを内周側へより誘引できるという効果が得られる。つまり、プロペラファン１００Ｄによれば、実施の形態４に係るプロペラファン１００Ｃによる効果に加え、凸部１３Ａによって漏れ渦１１をより抑制することができ、低入力化、低騒音化が更に実現する。
【００６９】
なお、凹部８Ｄの個数、凹部８Ｄを構成する第一辺５Ｄの長さ、第二辺６Ｄの長さ、接続点７Ｄにおける第一辺５Ｄと第二辺６Ｄとがなす角度、凸部１３Ａの大きさ、凸部１３Ａの形状、第四辺１３Ａ−３の曲率等を特に限定するものではなく、適宜設定できるものとする。
また、第一辺５Ｄの形状について、第一辺５Ａと同様に図２のように決定することができるものとするが、第一辺５Ｄの曲率等を特に限定するものではない。
また、凸部１３Ａを実施の形態２で説明した凹部８Ｂと組み合わせてもよい。
また、第一辺５Ｄが、後縁３から前縁４に向かって伸びる場合を例に示したが、第一辺５Ｄの形状によっては第一辺５Ｄが後縁３から前縁４かつ外周側（外周端２２側）に向かって伸びることも考えられる。
さらに、第二辺６Ｄは、直線であってもよく、曲線であってもよい。
【００７０】
実施の形態６．
図１２は、本発明の実施の形態６に係る冷凍サイクル装置２００の冷媒回路構成を概略的に示す回路構成図である。図１３は、冷凍サイクル装置２００の一部を構成する冷却ユニット２１０（以下、冷却ユニット２１０Ａと称する）の構成の一例を概略的に示す概略斜視図である。図１４は、図１３における冷却ユニットのＩＶ−ＩＶ断面図である。図１５は、冷凍サイクル装置２００の一部を構成する冷却ユニット２１０（以下、冷却ユニット２１０Ｂと称する）の構成の別の一例を概略的に示す概略構成図である。図１２〜図１５に基づいて、冷凍サイクル装置２００について説明する。
【００７１】
＜冷凍サイクル装置２００の冷媒回路構成＞
冷凍サイクル装置２００は、蒸気圧縮式の冷凍サイクル運転を行うものであり、実施の形態１〜４に係るプロペラファンを冷却ユニット２１０（冷却ユニット２１０Ａ、冷却ユニット２１０Ｂ）に備えるようにしたものである。なお、実施の形態６では、実施の形態１に係るプロペラファン１００Ａを備えた場合を例に説明する。
【００７２】
冷凍サイクル装置２００は、圧縮機２１１と、第１熱交換器２０５と、絞り装置２１３と、第２熱交換器２２１と、を有している。
そして、冷凍サイクル装置２００は、圧縮機２１１、第１熱交換器２０５、絞り装置２１３、第２熱交換器２２１が、冷媒配管２１６によって配管接続され、冷媒回路が形成されている。
【００７３】
（圧縮機２１１）
圧縮機２１１は、冷媒を高温、高圧に圧縮して吐出するものである。圧縮機２１１は、例えば、インバータ圧縮機などで構成することができる。例えば、ロータリ圧縮機、スクロール圧縮機、スクリュー圧縮機、往復圧縮機等を圧縮機２１１として採用することができる。
【００７４】
（第１熱交換器２０５）
第１熱交換器２０５は、凝縮器（放熱器）として機能し、圧縮機２１１から吐出された冷媒を凝縮させて高圧液冷媒にするものである。第１熱交換器２０５は、上流側が圧縮機２１１に接続され、下流側が絞り装置２１３に接続されている。第１熱交換器２０５は、例えば、フィン・アンド・チューブ型熱交換器等で構成することができる。第１熱交換器２０５には、第１熱交換器２０５に空気を供給するプロペラファン１００Ａが付設されている。
【００７５】
（絞り装置２１３）
絞り装置２１３は、第１熱交換器２０５を経由した冷媒を膨張させて減圧するものである。絞り装置２１３は、例えば開度が調整でき冷媒の流量を調整可能な電動膨張弁等で構成するとよい。なお、絞り装置２１３としては、電動膨張弁だけでなく、受圧部にダイアフラムを採用した機械式膨張弁、または、キャピラリーチューブ等を適用することも可能である。絞り装置２１３は、上流側が第１熱交換器２０５に接続され、下流側が第２熱交換器２２１に接続されている。
【００７６】
（第２熱交換器２２１）
第２熱交換器２２１は、蒸発器として機能し、絞り装置２１３で減圧された冷媒を蒸発させてガス冷媒にするものである。第２熱交換器２２１は、上流側が絞り装置２１３に接続され、下流側が圧縮機２１１に接続されているものである。第２熱交換器２２１は、例えば、フィン・アンド・チューブ型熱交換器等で構成することができる。第２熱交換器２２１には、第２熱交換器２２１に空気を供給するプロペラファン等のファン２２２が付設されている。
【００７７】
（冷却ユニット２１０）
圧縮機２１１、第１熱交換器２０５、プロペラファン１００Ａは、冷却ユニット２１０に搭載される。
【００７８】
（利用側ユニット２２０）
絞り装置２１３、第２熱交換器２２１、ファン２２２は、利用側ユニット２２０に搭載される。なお、絞り装置２１３を、利用側ユニット２２０ではなく、冷却ユニット２１０に搭載してもよい。
【００７９】
（その他）
圧縮機２１１の吐出側に冷媒流路を切り替える流路切替装置を設けて、第１熱交換器２０５を蒸発器として機能させ、第２熱交換器２２１を凝縮器として機能させてもよい。
なお、流路切替装置は、例えば四方弁、２つの二方弁又は三方弁を組み合わせたもので構成することができる。
【００８０】
＜冷凍サイクル装置２００の動作＞
次に、冷凍サイクル装置２００の動作について、冷媒の流れとともに説明する。
圧縮機２１１を駆動させることによって、圧縮機２１１から高温高圧のガス状態の冷媒が吐出する。圧縮機２１１から吐出した高温高圧のガス冷媒は、第１熱交換器２０５に流れ込む。第１熱交換器２０５では、流れ込んだ高温高圧のガス冷媒と、プロペラファン１００Ａによって供給される空気との間で熱交換が行われて、高温高圧のガス冷媒は、凝縮して高圧の液冷媒になる。
【００８１】
第１熱交換器２０５から送り出された高圧の液冷媒は、絞り装置２１３によって、低圧のガス冷媒と液冷媒との二相状態の冷媒になる。二相状態の冷媒は、第２熱交換器２２１に流れ込む。第２熱交換器２２１では、流れ込んだ二相状態の冷媒と、ファン２２２によって供給される空気との間で熱交換が行われて、二相状態の冷媒のうち液冷媒が蒸発して低圧のガス冷媒となる。第２熱交換器２２１から送り出された低圧のガス冷媒は、圧縮機２１１に流れ込み、圧縮されて高温高圧のガス冷媒となって、再び圧縮機２１１から吐出する。以下、このサイクルが繰り返される。
【００８２】
＜冷却ユニット２１０Ａ＞
図１３及び図１４に示すように、冷却ユニット２１０Ａは、電車等の車両に搭載されることを想定したものであり、ベース２０１と、プロペラファン１００Ａと、筐体２０４Ａと、モータ２０６と、第１熱交換器２０５と、を有している。
【００８３】
ベース２０１は、冷却ユニット２１０Ａの底部（モータ２０６の設置面）及び側部を構成するものである。
筐体２０４Ａは、少なくともプロペラファン１００Ａを囲繞するようにベース２０１に設けられ、吐き出し部２０２及び吸い込み部２０３を有している。
吐き出し部２０２は、ベース２０１の法線方向上向きを正とするｚ軸及びそれに垂直な方向をｘ軸と定義したとき、ｚ＞０となるｚ軸平面内に設けられている。つまり、プロペラファン１００Ａの上方における開口部分が、空気の流出口となる吐き出し部２０２として機能する。
吸い込み部２０３は、ベース２０１のｘ軸方向に対向するように設けられている。つまり、第１熱交換器２０５の配置位置における開口部分が、空気の流入口となる吸い込み部２０３として機能する。
【００８４】
第１熱交換器２０５は、図示省略の冷媒配管を導通する冷媒とプロペラファン１００Ａにより供給される空気との間で熱交換を行うものであり、一対が吸い込み部２０３に近接するように筐体２０４Ａに配置されている。
プロペラファン１００Ａは、吐き出し部２０２の上流にｚ軸の正の向きに気流が吐き出されるように筐体２０４Ａのｚ軸上に配設されている。具体的には、プロペラファン１００Ａは、吐き出し部２０２の直下に設けられるとよい。そして、プロペラファン１００Ａは、吸い込み部２０３を介してベース２０１内に空気を取り込み、吐き出し部２０２を介してベース２０１内から外部に空気を吹き出すものである。
モータ２０６は、プロペラファン１００Ａを支持するとともに、プロペラファン１００Ａを駆動させるものである。
【００８５】
例えば、冷却ユニット２１０Ａでは、ベース２０１内部の空気の流れは、図１４に示すような気流Ｓ１となる。ただし、プロペラファン１００Ａの空気の吹き出し方向を逆にすることにより、ベース２０１内部の空気の流れは、気流Ｓ１とは逆向きになる。この場合、吐き出し部２０２と吸い込み部２０３の機能も逆転する。
【００８６】
＜冷却ユニット２１０Ｂ＞
図１５に示すように、冷却ユニット２１０Ｂは、熱源側ユニット（室外ユニット）として利用されることを想定したものであり、外郭を構成する筐体２０４Ｂと、筐体２０４Ｂの内部に設置されるプロペラファン１００Ａと、筐体２０４Ｂの内部に設置されるモータ２０６と、筐体２０４Ｂの内部に設置される第１熱交換器２０５と、図１２に示した圧縮機２１１などを有している。
【００８７】
筐体２０４Ｂは、少なくとも２面（たとえば、側面及び背面）に空気吸込口を有し、箱型に構成されている。また、筐体２０４Ｂの内部にはセパレータ２５０が設けられ、プロペラファン１００Ａが設置される送風機室２５２と、圧縮機２１１などが設置される機械室２５１とが、区画形成されている。
【００８８】
第１熱交換器２０５は、筐体２０４Ｂの空気吸込口に対応する側面及び背面に位置するように上面視Ｌ字形状に構成されている。
【００８９】
なお、筐体２０４Ｂの前面には、空気が流れる開口部が開口形成されている。
また、プロペラファン１００Ａは、筐体２０４Ｂの内部に設置されるモータ２０６によって回転駆動される。
【００９０】
以上のように、冷凍サイクル装置２００は、実施の形態１〜４のいずれかに係るプロペラファンを冷却ユニット２１０に備えているため、第一辺が外周側へ湾曲した曲線形状の凹部をプロペラファンの後縁３が形成されているので、第一辺における空気の流れの剥離を抑制でき、漏れ渦の発生を低減できる。よって、冷凍サイクル装置２００によれば、実施の形態１〜４のいずれかに係るプロペラファンを備えたことにより、低入力化及び低騒音化を実現できる。
【符号の説明】
【００９１】
１  ボス、１Ｘ  ボス、２Ａ  翼、２Ｂ  翼、２Ｃ  翼、２Ｄ  翼、２Ｅ  翼、２Ｘ  翼、３  後縁、３Ｘ  後縁、４  前縁、４Ｘ  前縁、５Ａ  第一辺、５Ｂ  第一辺、５Ｃ  第一辺、５Ｄ  第一辺、５Ｅ  第一辺、５Ｘ  第一辺、６Ａ  第二辺、６Ｂ  第二辺、６Ｃ  第二辺、６Ｄ  第二辺、６Ｅ  第二辺、６Ｘ  第二辺、７  接続点、７Ａ  接続点、７Ｃ  接続点、７Ｄ  接続点、７Ｅ  接続点、７Ｘ  接続点、８Ａ  凹部、８Ｂ  凹部、８Ｃ  凹部、８Ｄ  凹部、８Ｅ  凹部、８Ｘ  凹部、１０  空気流れ、１０−１  空気流れ、１０−１Ｘ  空気流れ、１０−２  空気流れ、１０−２Ｘ  空気流れ、１０Ｘ  空気流れ、１１  漏れ渦、１１Ｘ  漏れ渦、１２  第三辺、１３  凸部（第２凸部）、１３−１  頂点、１３−２  頂点、１３−２Ａ  頂点、１３−３  第四辺、１３Ａ  凸部、１３Ａ−１  頂点、１３Ａ−２  頂点、１３Ａ−３  第四辺、１４  最大突出点、１５  第１仮想線、１６  第２仮想線、１７  交点、２１  内周端、２１Ｘ  内周端、２２  外周端、２２Ｘ  外周端、３０  凸部（第１凸部）、３０ａ  前縁側凸部、３０ｂ  後縁側凸部、３３  キャンバーライン、３４  翼弦中心点、３５  翼弦中心線、５０  同心円、１００Ａ  プロペラファン、１００Ｂ  プロペラファン、１００Ｃ  プロペラファン、１００Ｄ  プロペラファン、１００Ｅ  プロペラファン、１００Ｘ  プロペラファン、２００  冷凍サイクル装置、２０１  ベース、２０２  吐き出し部、２０３  吸い込み部、２０４Ａ  筐体、２０４Ｂ  筐体、２０５  第１熱交換器、２０６  モータ、２１０  冷却ユニット、２１０Ａ  冷却ユニット、２１０Ｂ  冷却ユニット、２１１  圧縮機、２１３  絞り装置、２１６  冷媒配管、２２０  利用側ユニット、２２１  第２熱交換器、２２２  ファン、２５０  セパレータ、２５１  機械室、２５２  送風機室、２５５  ベルマウス、Ａ  回転方向、ＲＣ  軸心、Ｓ１  気流。
【図１】
2018216164.tif 000003
【図２】
2018216164.tif 000004
【図３】
2018216164.tif 000005
【図４】
2018216164.tif 000006
【図５】
2018216164.tif 000007
【図６】
2018216164.tif 000008
【図７】
2018216164.tif 000009
【図８】
2018216164.tif 000010
【図９】
2018216164.tif 000011
【図１０】
2018216164.tif 000012
【図１１】
2018216164.tif 000013
【図１２】
2018216164.tif 000014
【図１３】
2018216164.tif 000015
【図１４】
2018216164.tif 000016
【図１５】
2018216164.tif 000017
【手続補正書】
【提出日】令和1年8月22日(2019.8.22)
【手続補正１】
【補正対象書類名】明細書
【補正対象項目名】０００７
【補正方法】変更
【補正の内容】
【０００７】
本発明に係るプロペラファンは、軸心を中心に回転する回転軸部と、前記回転軸部の外周部に配設される複数枚の翼と、を有し、前記翼は、後縁を開放させた凹部を少なくとも１つ有し、前記凹部は、後縁から前縁に向かって伸びる内周側の第一辺が外周側へ湾曲しており、前記翼は、前記凹部により区切られた後縁の内周側に、下流側へ突出させた第２凸部を有するものである。
【手続補正２】
【補正対象書類名】特許請求の範囲
【補正対象項目名】全文
【補正方法】変更
【補正の内容】
【特許請求の範囲】
【請求項１】
軸心を中心に回転する回転軸部と、
前記回転軸部の外周部に配設される複数枚の翼と、を有し、
前記翼は、
後縁を開放させた凹部を少なくとも１つ有し、
前記凹部は、
後縁から前縁に向かって伸びる内周側の第一辺が外周側へ湾曲しており、
前記翼は、
前記凹部により区切られた後縁の内周側に、下流側へ突出させた第２凸部を有する
プロペラファン。
【請求項２】
軸方向の上流側から上面視した状態において、
前記第一辺は、
前記回転軸部の同心円の一部の円弧を構成する
請求項１に記載のプロペラファン。
【請求項３】
前記凹部は、
前記第一辺と、
後縁から前縁かつ内周側に向かって伸びる外周側の第二辺と、
前記第一辺と前記第二辺とが前縁側で接続する接続点と、を有する上面視略三角形状に構成されている
請求項１又は２に記載のプロペラファン。
【請求項４】
前記凹部は、
前記第一辺と、
後縁から前縁かつ内周側に向かって伸びる外周側の第二辺と、
前記第一辺の前縁側頂点と前記第二辺の前縁側頂点とを結ぶ第三辺と、を有する上面視略四角形状に構成されている
請求項１又は２に記載のプロペラファン。
【請求項５】
前記翼は、
前記第一辺に、外周側へ突出させた第１凸部を少なくとも一つ有する
請求項１〜４のいずれか一項に記載のプロペラファン。
【請求項６】
前記第２凸部は、
外周端側の頂点が、前記凹部の前記第一辺の後縁側頂点となっている
請求項１に記載のプロペラファン。
【請求項７】
前記第２凸部の外周端側の頂点と内周端側の頂点とを前記第２凸部の外周で結んだ線を第四辺とし
前記第２凸部の外周端側の頂点と内周端側の頂点とを直線的に結んだ線を第１仮想線とし、
前記第１仮想線の中点から垂直に伸びて前記第四辺と接続する線を第２仮想線とし、
前記第２凸部は、
最大突出点が、
前記第四辺と前記第２仮想線との交点よりも内周側に位置している
請求項６に記載のプロペラファン。
【請求項８】
圧縮機、第１熱交換器、絞り装置、第２熱交換器を配管接続した冷媒回路を有し、
請求項１〜７のいずれか一項に記載のプロペラファンは、
前記第１熱交換器に空気を供給するものとして、前記第１熱交換器とともに冷却ユニットに搭載される
冷凍サイクル装置。
【国際調査報告】
2018216164.tif 000018
2018216164.tif 000019
2018216164.tif 000020